(57)【要約】【課題】薬莢またはカートリッジの制御された排出を可能にするエキストラクタ装置が設けられた中折れ式上下二連ライフルを提供することにある。【解決手段】上方銃身（２３ｓ）および下方銃身（２３ｉ）を有し、スリーブ（Ａ）の両側には２つの対称側方シート（３０）が形成され、各側方シート（３０）は、エキストラクタ（６０ａ、６０ｂ）を、スプリング（６）により作動される摺動係合をなして受入れるように構成され、各エキストラクタ（６０ａ、６０ｂ）では、セレクタ手段（７０）がスリーブ（Ａ）に固定的に連結され、各セレクタ手段（７０）は、対応エキストラクタ（６０ａ、６０ｂ）の係合位置に配置されてエキストラクタ（６０ａ、６０ｂ）の摺動を制限するか、対応エキストラクタ（６０ａ、６０ｂ）の非係合位置に配置されてエキストラクタ（６０ａ、６０ｂ）の自由な摺動を許容できる中折れ式上下二連ライフル（２１）。【選択図】図５
2008134047.tif 000002
【特許請求の範囲】
【請求項１】
上方銃身（２３ｓ）および下方銃身（２３ｉ）を有し、両銃身（２３ｓ、２３ｉ）は、スリーブ（Ａ）内で両銃身の銃尾（２４）に近接して組付けられ、スリーブ（Ａ）にはヒンジピン（Ｐ）を介してアクションボディ（Ｂ）がヒンジ止めされ、スリーブ（Ａ）の両側には２つの対称側方シート（３０）が形成され、両側方シート（３０）は、下方銃身（２３ｉ）に近接しかつ両銃身の銃尾（２４）に近接して上方銃身（２３ｓ）の両側に配置され、各側方シート（３０）は、スプリング（６）により作動されるエキストラクタ（６０ａ、６０ｂ）を、摺動係合をなして受入れるように構成され、各エキストラクタ（６０ａ、６０ｂ）では、セレクタ手段（７０）がスリーブ（Ａ）に固定的に連結され、各セレクタ手段（７０）は、対応エキストラクタ（６０ａ、６０ｂ）の係合位置に配置されてエキストラクタ（６０ａ、６０ｂ）の摺動を制限するか、対応エキストラクタ（６０ａ、６０ｂ）の非係合位置に配置されてエキストラクタ（６０ａ、６０ｂ）の自由な摺動を許容できることを特徴とする中折れ式上下二連ライフル（２１）。
【請求項２】
前記エキストラクタ（６０ａ、６０ｂ）の各々には、剛性作動手段および弾性作動手段が設けられ、剛性作動手段は、各エキストラクタの中央部から横方向に突出しかつアクションボディ（Ｂ）の側面に形成されたシート（９）内で案内されるピン（８）を有し、弾性作動手段は、スラストカプセル（７）が設けられたスプリング（６）を有していることを特徴とする請求項１記載の中折れ式上下二連ライフル（２１）。
【請求項３】
前端アイアンレバー（１０）を介してスリーブ（２２）の各側に設けられた保持機構を更に有し、前端アイアンレバー（１０）は、この一端の縁部（１０′）を介して、エキストラクタの一端に設けられた歯（６３）と干渉し、前端アイアンレバー（１０）はまた、縁部（１０′）とは反対側の端部（１０″）を介して、アクションボディの下部に設けられかつアクションボディに固定的に連結されたコッキングロッド（１２）に接触していることを特徴とする請求項２記載の中折れ式上下二連ライフル（２１）。
【請求項４】
前記２つの側方シート（３０）の各々は、エキストラクタ（６０ａ、６０ｂ）を、押し込んで係合するように受入れ、かつこの目的のために溝（４１）を有し、該溝（４１）は、銃身に平行に配置されかつ溝（４１）に対して垂直でかつ銃尾（２４）の縁部に沿って形成された凹部（４２）内に終端しており、２つの銃身の一方と係合することを特徴とする請求項３記載の中折れ式上下二連ライフル。
【請求項５】
本発明による排出装置は、スリーブの各側に、パッドの形態をなすエキストラクタ（６０ａ、６０ｂ）を有し、エキストラクタは対応する側方シート（３０）内にスライド可能に収容される形状を有し、両エキストラクタ（６０ａ、６０ｂ）の各々が、パッド（６１）の形態をなす細長部分を備え、パッド（６１）の端部には、薬莢（Ｃ）のリム（２０）に係止する爪（６２）が形成されていることを特徴とする請求項４記載の中折れ式上下二連ライフル（２１）。
【請求項６】
各エキストラクタ（６０ａ、６０ｂ）のパッド（６１）には、爪（６２）とは反対側の端部に歯（６３）が設けられ、かつ該歯（６３）に近接したパッドの上縁部にはノッチ（６５）が設けられていることを特徴とする請求項５記載の中折れ式上下二連ライフル（２１）。
【請求項７】
前記アクションボディ（Ｂ）の各側では、セレクタ手段（７０）がスリーブ（Ａ）に固定的に連結され、セレクタ手段（７０）は、回転により前記エキストラクタ（６０ａ、６０ｂ）の一部と係合するのに適しており、各セレクタ手段は対応ノッチ（６５）内に挿入されて、対応エキストラクタの押し込みを、薬莢（Ｃ）をグリップできるように薬莢（ｃ）を排出させるのに必要な、ノッチ（６５）の長さによって予め定められた数ミリメートルに制限することを特徴とする請求項６記載の中折れ式上下二連ライフル（２１）。
【請求項８】
スリーブ（Ａ）の各側で、前記セレクタ手段は、突出部（３３）の前面に形成された適当な開口（３５）内に挿入されるピン（７１）の形態をなすセレクタ（７０）を有し、ピン（７１）は、この上を通る小レバー（７２）を有し、該小レバー（７２）は、ノッチ（６５）内に係合して、ライフルが中折れされたときに、歯（６３）がレバー（１０）の縁部（１０′）から逃げることを防止し、従ってスプリング（６）がその弾性エネルギを放出して薬莢（Ｃ）の突然的排出を引起こすことを防止するのに適していることを特徴とする請求項７記載の中折れ式上下二連ライフル（２１）。
【請求項９】
前記ピン（７１）にはまた、１つ以上の環状スロート（７３）が設けられており、該環状スロートは、ピンを開口（３５）内で摩擦を受けた状態に維持するための多くのОリング（７４）受入れることができることを特徴とする請求項８記載の中折れ式上下二連ライフル（２１）。
【発明の詳細な説明】
【技術分野】
【０００１】
本発明は、選択制御型の薬莢(やっきょう)排出装置を備えた中折れ式上下二連ライフル（break-open over-and-under rifle）に関する。
【背景技術】
【０００２】
火器の分野では、使用済み薬莢を排出することを意図した排出装置が知られている。
アクティブカートリッジと交換すべき使用済み薬莢は、薬莢が配置されたチャンバから排出されなくてはならず、ケースフレームからおよび火器自体から種々の方法で排出される。
【０００３】
排出は、エキストラクタのヘッドまたは爪として形成された特殊幾何学的形状の部材をシェルリムに緊締することにより行われる。
かくして、半自動または自動火器の操作では、使用済み薬莢のエキストラクタ（排出装置）を作動させる必要がある。
【０００４】
図１から図３には、種々の閉位置または開位置にある、従来技術のエキストラクタが設けられた式上下二連火器の中央部の一例が、一部を破断した側面図で概略的に示されている。図４には、ライフルから分離された、従来技術による１対のエキストラクタが詳細に示されている。
【０００５】
従来技術のライフル１において、銃身のスリーブが符号Ａで示され、かつヒンジピンＰを介してスリーブＡにヒンジ連結されたアクションボディが符号Ｂで示されている。
スリーブＡの下には、ライフルの中折れ（breaking open）を制御する前端アイアン（fore-end iron）３が固定されている。
【０００６】
スラスト（押し込み）カプセル７が設けられたスプリング６により作動されるエキストラクタ２が、スリーブＡの両側に取付けられている。
各エキストラクタ２は、銃身が中折れされる間に、エキストラクタ自体の中央部から横方向に突出するピン８を介して案内される（ピン８自体が、アクションボディＢの側面に設けられたシート（座）９内で案内される）。
【０００７】
ライフルにはまた、前端アイアンレバー１０を介して作動されるエキストラクタ保持システムが設けられており、前端アイアンレバー１０は、この一端の縁部１０′を介して、エキストラクタの一端に設けられた歯１１と干渉する。
前端アイアンレバー１０は、その縁部１０′とは反対側の端部１０″を介して、アクションボディＢの下部に配置されかつ該アクションボディＢに固定的に連結されたコッキングロッド１２にも接触している。
【０００８】
図１に示した発砲後のロック位置から、エキストラクタ２は、これ自体のピン８によりアクションボディＢの適当なシート９に追随して排出運動を開始する。
機械的リフティングとして知られているこの第一段階において、エキストラクタは、一定の摺動（スライディング）の後に、約４ｍｍに等しい所定距離だけスリーブＡから出る（図３）。
【０００９】
このようにライフルが中折れされると、エキストラクタ２はその移動を中断し、これにより、前端アイアンレバー１０は、コッキングロッド１２の抵抗を受けて首尾よく自由に回転できなくなりかつエキストラクタ自体の歯１１の下に押込まれて、エキストラクタの移動を防止する。
【００１０】
中折れ移動を続けると、ライフルの銃身は、ヒンジピンＰの回りで回転して或る中折れ角度に到達する。これにより、前端アイアンレバー１０（該レバー１０は、これ自体のヒンジ点の回りでゆっくりと回転し続けていた）は、エキストラクタ２の歯１１がレバー自体の縁部１０′から「逃げる（escape）」ことを可能にする。すなわち、歯１１をバイパスさせて、エキストラクタ２が、これまで妨げられていた移動を行えるようにする。
【００１１】
レバー１０の縁部１０′がひとたび歯１１から逃げると、エキストラクタ２のスプリング６（該スプリング６は、エキストラクタが所定位置に保持されていたことから圧縮されていた）が、機構により蓄えられていた全弾性エネルギを瞬間的に放出し、薬莢Ｃを迅速に排出させることができる。この衝撃的排出は、射手が迅速に再装填することを可能にするため、或る場合にはこの衝撃的排出が特に有効である。しかしながら、この段階では、特に、ライフルが、瞬間的操作により非常に迅速に中折れされるような場合に、射手または射手の近くに居る人が、発砲後に薬莢に当ってしまう虞れがある。
【００１２】
排出された薬莢はまた、射撃が荒地上で行われた場合（例えばハンティングの場合）には容易に失われてしまい、環境汚染をすることは明らかである。
【発明の開示】
【発明が解決しようとする課題】
【００１３】
従って本件出願人は、薬莢またはカートリッジの制御された排出を可能にするエキストラクタ装置が設けられた中折れ式上下二連ライフルを作る必要性を実現した。
従って本件出願人は、ライフルの使用に応じて、選択制御型排出装置を作動させるか否かを選択できる自由度を射手に残すべく、銃身からの薬莢のこのような排出制御を選択することを意図した装置が設けられた上下二連ライフルを作る他の技術的問題を追求した。
【課題を解決するための手段】
【００１４】
本件出願人は、ケースヘッドを数ミリメートル引出して、薬莢を手でグリップして完全に引抜くことができるようにして、薬莢の喪失または射手に当って怪我を生じさせる危険な排出を防止できる選択排出装置が設けられたライフルを提供することにより上記技術的問題を解決できる。
【００１５】
従って本発明の第一態様によれば、各銃身に選択排出装置が設けられた中折れ式上下二連ライフルが提供され、本発明のライフルは、エキストラクタの摺動を、薬莢をグリップできるに充分なだけ銃身から引抜く所定値に制限すべく、エキストラクタの係合位置を位置決めすることを意図したものである。
【００１６】
本発明の他の態様によれば、射手が、銃身からの薬莢の制御された排出を行うことを可能にする選択排出装置が設けられたライフルが提供される。
本発明のこのような特徴は、請求項１に記載の選択制御型薬莢排出装置が設けられた中折れ式上下二連ライフルにより発揮できる。
【００１７】
本発明の他の特徴は、実施態様項の目的を形成する。
本発明による中折れ式上下二連ライフルは、上方銃身および下方銃身を有し、両銃身は、スリーブ内で両銃身の銃尾に近接して組付けられ、スリーブにはヒンジピンを介してアクションボディがヒンジ止めされ、スリーブの両側には２つの対称側方シートが形成され、両側方シートは、下方銃身に近接しかつ両銃身の銃尾に近接して前端アイアンの上方でかつ上方銃身の両側に配置され、各側方シートは、スプリング作動型エキストラクタを、摺動係合をなして受入れるように構成され、各エキストラクタでは、セレクタ手段がスリーブに固定的に連結され、各セレクタ手段は、対応エキストラクタの係合位置に配置されてエキストラクタの摺動を制限するか、対応エキストラクタの非係合位置に配置されてエキストラクタの自由な摺動を許容できる。
有利なことに、本発明による装置は、薬莢の排出を環境的に優しく制御でき、かつ薬莢が環境内にばら撒かれることを回避できる。
【発明を実施するための最良の形態】
【００１８】
本発明による選択制御型薬莢排出装置が設けられた中折れ式上下二連ライフルの特徴および長所は、添付の概略図面を参照して述べる非制限的な例についての以下の説明から一層明らかになるであろう。
図５から図１１を参照すると、選択制御型薬莢（またはカートリッジ）排出（薬莢抜き）装置６０が設けられた中折れ式上下二連ライフル２１が、非制限的な一例として概略的に示されている。
【００１９】
本発明による中折れ式上下二連ライフル２１では、ライフルの上下二連銃身２３ｓ、２３ｉ（それぞれ、上方銃身２３ｓおよび下方銃身２３ｉ）を支持するスリーブが参照番号２２で示され、ヒンジピンＰを介してスリーブにヒンジ止めされたアクションボディが符号Ｂで示されている。
スリーブ２２の下には、ライフルの中折れを制御するための前端アイアン２５が固定されている。
スリーブ２２の両側には、エキストラクタ（薬莢抜き）６０ａ、６０ｂが取付けられている。
【００２０】
各エキストラクタ６０ａ、６０ｂには、剛性作動手段および弾性作動手段が設けられている。剛性作動手段は、薬莢Ｃをそれぞれの銃身から充分に引抜くべく、エキストラクタの制限された所定の初期摺動を行わせることを意図し、弾性作動手段は、薬莢Ｃをライフルから完全に排出させるべく、衝撃的なスラスト（押し込み）をエキストラクタに伝達することを意図したものである。
【００２１】
各エキストラクタ６０ａ、６０ｂは、実際に、銃身が、エキストラクタ自体の中央部で横方向に突出しかつアクションボディＢの側面に設けられたシート９内で案内されるピン８からなる剛性手段を介して中折れされる間に、最初に案内される。
機械的リフティングとして知られているこの最初の段階で、エキストラクタは、一定の摺動を行った後に、シェルリム２０を外部に押出すのに充分な約４ｍｍに等しい所定距離だけスリーブから出て、射手がシェルリム２０を手でグリップできるようにする。
【００２２】
次に、スラストカプセル７が設けられたスプリング６の形態をなす、エキストラクタの弾性作動手段が作動する。
ライフルにはまた、前端アイアンレバー１０を介してスリーブ２２の両側に設けられた保持機構が設けられており、前端アイアンレバー１０は、該レバーの一端の縁部１０′を介して、エキストラクタの端部に形成された歯６３と干渉する。
前端アイアンレバー１０は、該レバーの縁部１０′とは反対側の端部１０″を介して、アクションボディＢの下部に設けられかつアクションボディに固定的に連結されたコッキングロッド１２にも接触している。
【００２３】
本発明による排出装置６０はライフル２１のアクションボディＢに組付けられ、アクションボディＢには、この目的のための２つの対称側方シート３０が設けられている。側方シート３０は、前端アイアン２５の上方かつ上方銃身２３ｓの両側で、下方銃身２３ｉおよびこの銃尾２４の近くに配置されている。
スリーブＡにその長手方向に形成された２つの側方シート３０の各々の上方には、本発明による装置のセレクタ手段の支持機能を有する突出部３３が設けられている。
【００２４】
２つの側方シート３０の各々は、押し込み係合によりエキストラクタ６０ａ、６０ｂを受入れることを意図しており、この目的のための溝４１を有している。溝４１は、銃身に平行に配置され、溝４１に垂直な凹部４２内に終端しかつ銃尾２４の縁部に沿って形成されている。
【００２５】
図示の実施形態では、左側シート３０の凹部４２が上方銃身２３ｓと係合し、右側シート３０の凹部４２が下方銃身２３ｉと係合している。ここで、右側および左側とは、銃床から銃口に向かう方向に従って定められるライフルの側を意味する。
本発明による排出装置は、スリーブＡの各側について、パッドの形態をなすエキストラクタ６０ａ、６０ｂからなり、これらのエキストラクタは、対応する側方シート３０内にスライド可能に収容される。
【００２６】
かくして左手側用として左側エキストラクタ６０ａが設けられ、一方、右手側用として右側エキストラクタ６０ｂが設けられている。
かくして、２つのエキストラクタ６０ａ、６０ｂの各々が、パッド６１の形態をなす細長部分を有し、パッド６１の端部には、薬莢Ｃのリム２０を係止するための爪６２が形成されている。
【００２７】
爪６２の縁部は、薬莢Ｃのリムの曲率をコピーするように、リム２０を係止するのに充分な３０°から９０°の間の弧として延びている凹状をなしている。
図６に示すように、左側エキストラクタ６０ａの爪６２は、上方銃身２３ｓと係合するように上向きで対応側方シート３０内に挿入され、一方、右側エキストラクタ６０ｂの爪６２は、下向きで下方銃身２３ｉと係合するように、ライフルの反対側に形成された側方シート３０内にされることに留意すべきである。
【００２８】
各エキストラクタ６０ａ、６０ｂのパッド６１の爪６２とは反対側の端部には歯６３が設けられており、かつパッド６１の上縁部６４に沿って、歯６３の近くにノッチ６５が設けられている。
ライフルが中折れされるときに作動しなければならないエキストラクタを選択するため、セレクタ手段７０が、回転することによりエキストラクタ６０ａ、６０ｂの一部と係合するのに適したスリーブＡに固定的に連結される。各セレクタ手段７０は、対応ノッチ６５内に挿入されて、対応エキストラクタの摺動を、薬莢Ｃをグリップできるように薬莢Ｃを排出させるのに必要な、ノッチ６５の長さにより予め定められた数ミリメートルに制限する。
【００２９】
アクションボディの各側で、前記セレクタ手段は、突出部３３の前面に形成された適当な開口３５内に挿入されるピン７１の形態をなすセレクタ７０を有している。
ピン７１は、この上を通る小レバー７２を有している。この小レバー７２はノッチ６５内に係合するのに適しており、ライフルが中折れされたときに、エキストラクタが所定の制限量だけ直線移動することを可能にして、歯６３がレバー１０の縁部１０′から逃げることを防止し、従って、スプリング６がその弾性エネルギを放出して薬莢Ｃが突然排出されてしまうことを防止する。
【００３０】
ピン７１にはまた、１つ以上の環状スロート７３が設けられており、これらのスロート７３は、ピン７１を開口３５内で摩擦を受けている状態に維持するための多くのОリング７４を受け入れる。
小レバー７２はまた、適当なキーを用いて手動により小レバー７２を操作するためのノッチ７５が設けられている。図８および図１０に示す２つの位置の間で、両小レバー７２または一方のみの小レバーを回転させることにより、エキストラクタは、それぞれ、ライフルが中折れされたときに薬莢の自動的かつ衝撃的排出を許容する非係合位置から、ライフルが中折れされたときに、エキストラクタのストロークを、薬莢が手でグリップできるのに充分な数ミリメートルだけ排出されることは許容するが、薬莢が自動排出されることは防止する数ミリメートルに制限する係合位置に移動する。
【図面の簡単な説明】
【００３１】
【図１】従来技術による中折れ式ライフルの部品を示す図面である。
【図２】従来技術による中折れ式ライフルの部品を示す図面である。
【図３】従来技術による中折れ式ライフルの部品を示す図面である。
【図４】従来技術による中折れ式ライフルの部品を示す図面である。
【図５】本発明による排出装置が設けられた上下二連ライフルの部分側面図であり、ライフルが開位置にありかつ薬莢が排出されるところを示すものである。
【図６】本発明の目的である選択制御型薬莢排出装置が設けられた中折れ式上下二連ライフルの中央部を示す分解斜視図である。
【図７】本発明による排出装置が設けられた上下二連ライフルの上部を示す部分側面図である。
【図８】図７のＡ−Ａ線に沿う断面図であり、ライフルに設けられた排出装置が非係合位置にあるところを詳細に示すものである。
【図９】図８のＢ−Ｂ線に沿う断面図である。
【図１０】図７のＡ−Ａ線に沿う上下二連ライフルの断面図であり、ライフルに設けられた排出装置が係合位置にあるところを示すものである。
【図１１】図１０のＢ−Ｂ線に沿う断面図である。
【符号の説明】
【００３２】
２１  中折れ式上下二連ライフル
２３ｉ  下方銃身
２３ｓ  上方銃身
３０  側方シート
４１  溝
６０ａ、６０ｂ  エキストラクタ
６１  パッド
７０  セレクタ
Ａ  スリーブ
Ｂ  アクションボディ
Ｐ  ピン
【図１】
2008134047.tif 000003
【図２】
2008134047.tif 000004
【図３】
2008134047.tif 000005
【図４】
2008134047.tif 000006
【図５】
2008134047.tif 000007
【図６】
2008134047.tif 000008
【図７】
2008134047.tif 000009
【図８】
2008134047.tif 000010
【図９】
2008134047.tif 000011
【図１０】
2008134047.tif 000012
【図１１】
2008134047.tif 000013
【外国語明細書】
2008134047.tif 000014
2008134047.tif 000015
2008134047.tif 000016
2008134047.tif 000017
2008134047.tif 000018
2008134047.tif 000019
2008134047.tif 000020
2008134047.tif 000021
2008134047.tif 000022
2008134047.tif 000023
2008134047.tif 000024
2008134047.tif 000025
2008134047.tif 000026
2008134047.tif 000027
2008134047.tif 000028
2008134047.tif 000029
2008134047.tif 000030
2008134047.tif 000031
2008134047.tif 000032
2008134047.tif 000033
2008134047.tif 000034
2008134047.tif 000035
2008134047.tif 000036
2008134047.tif 000037